(57)【要約】【課題】スローモーション動画像データと静止画像データとが関連付けられた映像データを再生する際に、被写体の動きに応じた視覚効果を付した画像再生を行う。【解決手段】ＣＰＵ１６は、スローモーション動画像データと静止画像データとが関連付けられた映像データをメモリカード５０から読み出す。ＣＰＵ１６は、液晶モニタ１５に再生表示させる映像データに含まれるスローモーション動画像データについてフレーム間の特徴量変化を検出する。ＣＰＵ１６は、テーマ付き映像データのスローモーション動画像データと静止画像データを液晶モニタ１５に再生表示させる。ＣＰＵ１６は、テーマ付き映像データの静止画像データを液晶モニタ１５に再生表示させるとき、その特徴量変化に基づいてパラメータを調整した視覚効果を付す。【選択図】図１
2014072540.tif 000002
【特許請求の範囲】
【請求項１】
スローモーション動画像データと静止画像データとが関連付けられた映像データが記憶された記録媒体から前記映像データを読み出す読出手段と、
前記映像データのスローモーション動画像データと静止画像データを表示部に再生表示させる再生手段と、
前記再生手段により前記表示部に再生表示させる前記映像データに含まれる前記スローモーション動画像データのフレーム間の特徴量変化を検出する特徴量変化検出手段と、
を備え、
前記再生手段は、前記映像データの静止画像データを表示部に再生表示させるとき、前記特徴量変化検出手段が検出した前記特徴量変化に基づいた視覚効果を付すことを特徴とする表示制御装置。
【請求項２】
請求項１に記載の表示制御装置において、
前記映像データは、当該映像データのテーマに関するテーマ情報を有し、
前記再生手段は、前記映像データの静止画像データを表示部に再生表示させるとき、当該映像データに付加された前記テーマ情報に予め対応付けられた第１の視覚効果を前記特徴量変化検出手段が検出した前記特徴量変化に基づいて第２の視覚効果に変更して、前記第２の視覚効果を付すことを特徴とする表示制御装置。
【請求項３】
請求項２に記載の表示制御装置において、
前記再生手段は、第１の映像データの静止画像データを再生するとき、前記テーマ情報が前記第１の映像データと同一である第２の映像データを用いて、前記第２の視覚効果を付することを特徴とする表示制御装置。
【請求項４】
請求項１から３のいずれか一項に記載の表示制御装置において、
前記映像データは、当該映像データを前記記録媒体に記憶させた日時に関する日時情報を有し、
前記再生手段は、第３の映像データの静止画像データを再生するとき、前記日時情報に基づいて前記記録媒体から読み出した第４の映像データを用いて、前記視覚効果を付することを特徴とする表示制御装置。
【請求項５】
請求項４に記載の表示制御装置において、
前記再生手段は、前記視覚効果として、前記第４の映像データのスローモーション動画像データおよび／または静止画像データを、当該第４の映像データの日時情報に応じた表示順、表示サイズ、表示位置、フェードイン／フェードアウトの速度、ならびに前記表示位置の移動速度、加速度、および移動経路で前記表示部に再生表示させることを特徴とする表示制御装置。
【請求項６】
請求項１から５のいずれか一項に記載の表示制御装置において、
前記特徴量変化検出手段は、前記再生手段が前記表示部に再生表示させる前記映像データに含まれる前記スローモーション動画像データについて、各フレームの画像に含まれる所定レベル以上の輝度レベルまたは所定の色相を有する画像領域を抽出して、フレーム間における前記画像領域の変化を前記特徴量変化として検出することを特徴とする表示制御装置。
【請求項７】
請求項６に記載の表示制御装置において、
前記映像データのスローモーション動画像データは、所定時間の間に所定のフレームレートで取得されたフレーム画像に基づいて生成され、
前記映像データの前記静止画像データは、前記所定時間の間に所定操作が行われたタイミングに対応するフレーム画像に基づいて生成され、
前記特徴量変化検出手段は、前記再生手段が前記表示部に再生表示させる前記映像データに含まれる前記スローモーション動画像データのうち、前記所定操作が行われたタイミングに対応するフレームを含む複数フレームのフレーム画像に基づいて、前記特徴量変化を検出することを特徴とする表示制御装置。
【請求項８】
コンピュータを、
スローモーション動画像データと静止画像データとが関連付けられた映像データが記憶された記録媒体から前記映像データを読み出す読出手段と、
前記映像データのスローモーション動画像データと静止画像データを表示部に再生表示させる再生手段と、
前記再生手段が前記表示部に再生表示させる前記映像データに含まれる前記スローモーション動画像データのフレーム間の特徴量変化を検出する特徴量変化検出手段として機能させる表示制御プログラムであって、
前記再生手段は、前記映像データの静止画像データを表示部に再生表示させるとき、前記特徴量変化検出手段が検出した前記特徴量変化に基づいた視覚効果を付すことを特徴とする表示制御プログラム。
【請求項９】
請求項８に記載の表示制御プログラムにおいて、
前記映像データは、当該映像データのテーマに関するテーマ情報を有し、
前記再生手段は、前記映像データの静止画像データを表示部に再生表示させるとき、当該映像データに付加された前記テーマ情報に予め対応付けられた第１の視覚効果を前記特徴量変化検出手段が検出した前記特徴量変化に基づいて第２の視覚効果に変更して、前記第２の視覚効果を付すことを特徴とする表示制御プログラム。
【請求項１０】
請求項９に記載の表示制御プログラムにおいて、
前記再生手段は、第１の映像データの静止画像データを再生するとき、前記テーマ情報が前記第１の映像データと同一である第２の映像データを用いて、前記第２の視覚効果を付することを特徴とする表示制御プログラム。
【請求項１１】
請求項８から１０のいずれか一項に記載の表示制御プログラムにおいて、
前記映像データは、当該映像データを前記記録媒体に記憶させた日時に関する日時情報を有し、
前記再生手段は、第３の映像データの静止画像データを再生するとき、前記日時情報に基づいて前記記録媒体から読み出した第４の映像データを用いて、前記視覚効果を付することを特徴とする表示制御プログラム。
【請求項１２】
請求項１１に記載の表示制御プログラムにおいて、
前記再生手段は、前記視覚効果として、前記第４の映像データのスローモーション動画像データおよび／または静止画像データを、当該第４の映像データの日時情報に応じた表示順、表示サイズ、表示位置、フェードイン／フェードアウトの速度、ならびに前記表示位置の移動速度、加速度、および移動経路で前記表示部に再生表示させることを特徴とする表示制御プログラム。
【請求項１３】
請求項８から１２のいずれか一項に記載の表示制御プログラムにおいて、
前記特徴量変化検出手段は、前記再生手段が前記表示部に再生表示させる前記映像データに含まれる前記スローモーション動画像データについて、各フレームの画像に含まれる所定レベル以上の輝度レベルまたは所定の色相を有する画像領域を抽出して、フレーム間における前記画像領域の変化を前記特徴量変化として検出することを特徴とする表示制御プログラム。
【請求項１４】
請求項１３に記載の表示制御プログラムにおいて、
前記映像データのスローモーション動画像データは、所定時間の間に所定のフレームレートで取得されたフレーム画像に基づいて生成され、
前記映像データの前記静止画像データは、前記所定時間の間に所定操作が行われたタイミングに対応するフレーム画像に基づいて生成され、
前記特徴量変化検出手段は、前記再生手段が前記表示部に再生表示させる前記映像データに含まれる前記スローモーション動画像データのうち、前記所定操作が行われたタイミングに対応するフレームを含む複数フレームのフレーム画像に基づいて、前記特徴量変化を検出することを特徴とする表示制御プログラム。
【発明の詳細な説明】
【技術分野】
【０００１】
本発明は、表示制御装置および表示制御プログラムに関する。
【背景技術】
【０００２】
静止画像データから特徴量を抽出して、その特徴量に基づいて他の静止画像との関連度を解析して、その関連度に基づいて視覚効果を決定して静止画像のスライドショーの再生を行う画像再生装置が知られている（特許文献１参照）。
【先行技術文献】
【特許文献】
【０００３】
【特許文献１】特開２００６−１４０５５９号公報
【発明の概要】
【発明が解決しようとする課題】
【０００４】
本発明は、スローモーション動画像データと静止画像データとが関連付けられて記録された映像データを再生する際に、スローモーション動画像データにおける被写体の動きに応じた視覚効果を付した画像再生を行い、印象度の高い画像再生を行うことを目的とする。
【課題を解決するための手段】
【０００５】
本発明の一態様による表示制御装置は、スローモーション動画像データと静止画像データとが関連付けられた映像データが記憶された記録媒体から映像データを読み出す読出手段と、映像データのスローモーション動画像データと静止画像データを表示部に再生表示させる再生手段と、再生手段により表示部に再生表示させる映像データに含まれるスローモーション動画像データのフレーム間の特徴量変化を検出する特徴量変化検出手段と、を備え、再生手段は、映像データの静止画像データを表示部に再生表示させるとき、特徴量変化検出手段が検出した特徴量変化に基づいた視覚効果を付すことを特徴とする。
【０００６】
本発明の別の一態様による表示制御プログラムは、コンピュータを、スローモーション動画像データと静止画像データとが関連付けられた映像データが記憶された記録媒体から映像データを読み出す読出手段と、映像データのスローモーション動画像データと静止画像データを表示部に再生表示させる再生手段と、再生手段が表示部に再生表示させる映像データに含まれるスローモーション動画像データのフレーム間の特徴量変化を検出する特徴量変化検出手段として機能させる表示制御プログラムであって、再生手段は、映像データの静止画像データを表示部に再生表示させるとき、特徴量変化検出手段が検出した特徴量変化に基づいた視覚効果を付すことを特徴とする。
【発明の効果】
【０００７】
本発明によれば、スローモーション動画像データと静止画像データとが関連付けられて記録された映像データを再生する際に、スローモーション動画像データにおける被写体の動きに応じた視覚効果を付した画像再生を行い、印象度の高い画像再生を行うことができる。
【図面の簡単な説明】
【０００８】
【図１】本発明の一実施の形態による表示制御装置としてデジタルカメラの構成を例示するブロック図である。
【図２】テーマ付き映像データの記録について説明するための図である。
【図３】テーマ付き映像データの再生について説明するための図である。
【図４】テーマ付き映像データの再生時における第１の視覚効果を説明するための図である。
【図５】テーマ付き映像データの再生時における第２の視覚効果を説明するための図である。
【図６】テーマ付き映像データの再生時における第３の視覚効果を説明するための図である。
【図７】テーマ付き映像データの再生時における第４の視覚効果を説明するための図である。
【図８】テーマ付き映像データの再生処理に関するフローチャートの一例である。
【図９】プログラムをＣＤ−ＲＯＭなどの記録媒体やインターネットなどのデータ信号を通じて提供する様子を示す図である。
【発明を実施するための形態】
【０００９】
図１は、本発明の一実施の形態による表示制御装置としてデジタルカメラ１の構成を例示するブロック図である。図１において、撮影レンズ１１は、撮像素子１２の撮像面１２ａに被写体像を結像させる。なお図１では図を簡単にするため、撮影レンズ１１は、単レンズとして図示されているが、不図示のフォーカシングレンズ、ズームレンズなど複数の光学系で構成される。また、図１に示すデジタルカメラ１は、撮影レンズ１１がカメラと一体的に形成された（撮影レンズが着脱不能な）デジタルカメラである。しかしながら後述する構成は、カメラボディと、そのカメラボディに着脱可能な交換レンズからなるカメラシステムに適用することも可能である。その場合、図１の符号１１，２１が交換レンズ側の構成となり、その他の符号１２〜２０がカメラボディ側の構成となる。
【００１０】
ＣＰＵ１６は、シャッタボタン２０ａが半押し操作されると、オートフォーカス（ＡＦ）処理を行わせて、撮影レンズ１１を構成するフォーカシングレンズ（不図示）を光軸方向（矢印１１ａにより表される方向）に進退移動させる。これにより、撮影レンズ１１の焦点位置が自動調節される。フォーカシングレンズ（不図示）の駆動は、ＣＰＵ１６から指示を受けたレンズ駆動部２１が行う。
【００１１】
また、ＣＰＵ１６は、不図示のズームスイッチから操作信号が入力された場合、または、事前設定されている画角情報に基づいてスローモーション動画像（以下、スローモーション動画像という）を撮影する場合に、撮影レンズ１１を構成するズームレンズ（不図示）を光軸方向に進退移動させる。これにより、撮影画角が調節される。ズームレンズ（不図示）の駆動も、ＣＰＵ１６から指示を受けたレンズ駆動部２１が行う。スローモーション動画像の詳細については後述する。
【００１２】
撮像素子１２は、ＣＭＯＳイメージセンサなどによって構成される。撮像素子１２は、撮像面１２ａ上に結像された被写体像をアナログ撮像信号に光電変換する。撮像素子１２から出力されたアナログ撮像信号は、Ａ／Ｄ変換部１３においてデジタル画像データに変換される。
画像処理部１４は、そのデジタル画像データに対して所定の画像処理を行って画像データを生成する。また、画像処理部１４は、デジタル画像データに対する画像処理以外にも、画像データを格納した所定形式の画像ファイル（例えばＥｘｉｆファイル）を生成する。
液晶モニタ１５は、ＣＰＵ１６からの指示に応じて、画像や操作メニュー画面を表示する。
スピーカ２２は、ＣＰＵ１６からの指示に応じて、入力された音声データを再生し、音声出力する。
【００１３】
不揮発性メモリ１７は、表示制御プログラム１７ａなどのプログラムや、音声データなどの各種データが記憶されている。不揮発性メモリ１７が格納するプログラムやデータの内容は、ＣＰＵ１６からの指示によって追加、変更が可能に構成されている。
【００１４】
ＣＰＵ１６は、例えばバッファメモリ１８を作業領域として、不揮発性メモリ１７に記憶された制御プログラムを実行し、デジタルカメラ１の各部に対する種々の制御を行う。またＣＰＵ１６は、計時機能を有するタイマ回路１６ａを備える。
【００１５】
バッファメモリ１８は、デジタル画像データを一時的に記憶する場合にも使用される。バッファメモリ１８は、デジタル画像データを一時的に記憶した場合であっても、制御プログラムの実行などに支障がでないように十分なメモリ容量を有している。
【００１６】
記録再生部１９は、ＣＰＵ１６からの指示に基づいて、メモリカード５０への画像ファイルの記録と、メモリカード５０からの画像ファイルの読み出しを行う。ＣＰＵ１６は、記録再生部１９によってメモリカード５０から読み出された画像ファイルに基づいて、液晶モニタ１５に動画像や静止画像を再生表示させる。
メモリカード５０は、図示しないカードスロットに着脱自在に取り付けられる記録媒体である。
【００１７】
操作部材２０は、シャッタボタン２０ａや、モード切替スイッチ２０ｂ、テーマ設定スイッチ２０ｃ、動画撮影スイッチ（不図示）、ズームスイッチ（不図示）などを含み、各部材の操作に伴う操作信号をＣＰＵ１６へ送出する。
【００１８】
シャッタボタン２０ａが通常ストロークの半分程度まで押し下げ操作されると、半押し操作信号が出力される。その半ストロークの押し下げ操作が解除されると、半押し操作信号の出力が解除される。
シャッタボタン２０ａが通常ストロークまで押し下げ操作されると、全押し操作信号が出力される。通常ストロークの押し下げ操作が解除されると、全押し操作信号の出力が解除される。
【００１９】
モード切替スイッチ２０ｂは、デジタルカメラ１の動作モードの切り替えに用いられる。デジタルカメラ１は、例えば、静止画撮影モードと、動画撮影モードと、スローモーション動画撮影モードと、テーマ画像再生モードという動作モードを備える。
【００２０】
静止画撮影モードは、上記全押し操作信号に応じて画像を取得し、取得した画像に基づいて生成した静止画像データをメモリカード５０へ記録するモードである。動画撮影モードは、動画撮影スイッチ（不図示）からの操作信号に応じて複数フレームの画像を取得し、該複数フレームの画像に基づいて生成した動画像データをメモリカード５０へ記録するモードである。
【００２１】
スローモーション動画撮影モードは、スローモーション動画像データと静止画像データとが互いに関連付いた画像データに、それらの画像のテーマに関するテーマ情報と記録日時が付加情報として付加されたテーマ付き映像データをメモリカード５０へ記録するモードである。
【００２２】
スローモーション動画像データとは、取得時のフレームレートより遅いフレームレートで再生される動画像データのことである。例えば、６０フレーム／秒(ｆｐｓ)で取得した複数のフレーム画像から、２４フレーム／秒（ｆｐｓ）で再生するスローモーション動画像データを生成する。
【００２３】
テーマ情報とは、テーマ付き映像データの各々に対して設定されているテーマに関する情報である。テーマは、例えばゆらめき、やすらぎ、きらめき、愛らしさなどの複数のテーマが予め用意されており、例えばテーマ設定スイッチ２０ｃを介して設定される。
【００２４】
スローモーション動画再生モードは、スローモーション動画撮影モードにてメモリカード５０に記録されたテーマ付き映像データを、テーマ付き映像データに含まれるテーマ情報に応じた視覚効果を加えながら再生するモードである。
【００２５】
不揮発性メモリ１７に記憶されている音声情報の一部は、各テーマに関連付けられている。スローモーション動画再生モードにおいて、テーマ付き映像データを再生するとき、そのテーマ付き映像データに付加されているテーマに対応した音声データが再生される。
【００２６】
＜テーマ付き映像データの記録＞
図２を用いて、テーマ付き映像データの記録について説明する。図２には、デジタルカメラ１に対して各時刻に行われた操作と、その操作に応じたデジタルカメラ１の動作が図示されている。
【００２７】
時刻ｔ０では、デジタルカメラ１のモードがスローモーション動画撮影モードに切り替えられる。例えば、ユーザがモード切替スイッチ２０ｂを操作してスローモーション動画撮影モードを選択したとき、スローモーション動画撮影モードが選択されたことを表す信号がＣＰＵ１６に入力されて、ＣＰＵ１６がデジタルカメラ１をスローモーション動画撮影モードに切り替える。
【００２８】
デジタルカメラ１がスローモーション動画撮影モードに切り替えられた後、ＣＰＵ１６は、液晶モニタ１５にライブビュー画像の表示を開始させる。例えば６０フレーム／秒（６０ｆｐｓ）のフレームレートで得られたフレーム画像を液晶モニタ１５に逐次表示させる。また、ＣＰＵ１６は、フレーム画像のデジタル画像データ値に基づいて露出演算を行いながら、適正露出が得られるように露出制御を行う。
【００２９】
時刻ｔ１では、テーマ設定スイッチ２０ｃの操作に基づいて、テーマ付き映像データのテーマが設定される。テーマの設定は、液晶モニタ１５にライブビュー画像の表示が行われたまま行ってもよいし、テーマ設定用のメニュー画面を液晶モニタ１５に表示することにしてもよい。テーマの設定が終わった後は、液晶モニタ１５へのライブビュー画像の表示を行う。
【００３０】
時刻ｔ２では、シャッタボタン２０ａが半押し操作される。ＣＰＵ１６は、ＡＦ処理を実行した後、フレーム画像の画像データの記録（蓄積）を開始させる。例えば、ＣＰＵ１６は、バッファメモリ１８にリングバッファを確保し、６０フレーム／秒(６０ｆｐｓ)のフレームレートで得られたフレーム画像を、所定時間Ｔｒｂ（例えば、１秒間）の動画像相当分（例えば、６０Ｔｒｂフレーム分）だけそのリングバッファに蓄積させる。リングバッファに蓄積されたフレーム画像は、テーマ付き映像データを構成するスローモーション動画像データの生成に用いられる。
【００３１】
時刻ｔ３では、シャッタボタン２０ａが全押し操作される。ＣＰＵ１６は、静止画像用のフレーム画像をバッファメモリ１８に蓄積すると共に、静止画像用のフレーム画像の特定に必要な情報（例えば、当該フレーム画像の取得時刻と時刻ｔ２との関係を示す情報）をバッファメモリ１８に一時保存する。また、ＣＰＵ１６は、タイマ回路１６ａにより、時刻ｔ３からの経過時間の計時を開始する。
【００３２】
時刻ｔ３にシャッタボタン２０ａが全押し操作された後であっても、リングバッファへのフレーム画像の蓄積はそのまま継続される。そして、ＣＰＵ１６は、タイマ回路１６ａにより所定時間Ｔｔ（例えば、０．６秒）が計時されたとき（時刻ｔ４）、リングバッファへのフレーム画像の蓄積を終了する。
【００３３】
タイマ回路１６ａにより計時される所定時間Ｔｔは、前述の所定時間Ｔｒｂよりも短い。すなわち、時刻ｔ４において、リングバッファには、時刻ｔ３前後のフレーム画像が蓄積されている。具体的には、Ｔｔ＝０．６秒、Ｔｒｂ＝１．０秒の場合、リングバッファには、時刻ｔ３の０．４秒前（＝Ｔｒｂ−Ｔｔ）の時刻から時刻ｔ３から０．６秒後の時刻までのフレーム画像が蓄積されている。
【００３４】
ＣＰＵ１６は、リングバッファに蓄積されたフレーム画像に基づいて、スローモーション動画像データを生成する。例えば、６０フレーム／秒(ｆｐｓ)で１秒間取得した複数のフレーム画像から、２４フレーム／秒で２．５秒間再生されるスローモーション動画像データを生成する。また、ＣＰＵ１６は、バッファメモリ１８に一時保存した静止画像用のフレーム画像から、スローモーション動画像データより高解像度の静止画像データを生成する。ＣＰＵ１６は、それらのスローモーション動画像データと、静止画像データと、時刻ｔ１に設定されたテーマに関するテーマ情報とに基づいて、テーマ付き映像データを生成してメモリカード５０へ記録する。
【００３５】
＜テーマ付き映像データの再生＞
図３を用いてテーマ付き映像データの再生について説明する。
時刻ｔ１０では、デジタルカメラ１のモードがスローモーション動画再生モードに切り替えられる。例えば、ユーザがモード切替スイッチ２０ｂを操作してスローモーション動画再生モードを選択したとき、スローモーション動画再生モードが選択されたことを表す信号がＣＰＵ１６に入力されて、ＣＰＵ１６がデジタルカメラ１をスローモーション動画再生モードに切り替える。
【００３６】
時刻ｔ１１では、操作部材２０を用いたユーザによる所定の読み出し操作により、再生を希望するテーマ付き映像データがメモリカード５０から読み出される。このとき、読み出されたテーマ付き映像データに付加されているテーマ情報に基づいて、テーマに対応した音声データが不揮発性メモリ１７から読み出される。
【００３７】
時刻ｔ１２では、ユーザによる操作部材２０に基づいて、テーマ付き映像データの再生が開始される。ＣＰＵ１６は、テーマ付き映像データのスローモーション動画像データを液晶モニタ１５に再生表示させると共に、不揮発性メモリ１７から読み出したテーマに対応した音声データをスピーカ２２から再生する。スローモーション動画像データは、取得時のフレームレートより遅いフレームレートで再生される。
【００３８】
時刻ｔ１３では、ＣＰＵ１６は、テーマ付き映像データのスローモーション動画像データの再生を終了させて、そのテーマ付き映像データの静止画像データの再生を開始する。なお、テーマに対応した音声データの再生は、時刻ｔ１３でも終了せずに継続される。
【００３９】
静止画像データは、後述する視覚効果を付して液晶モニタ１５に再生表示される。静止画像データの再生表示は、視覚効果が実行されている時間を含めて、時刻ｔ１３から時刻ｔ１４までの時間実行される。時刻ｔ１４では、ＣＰＵ１６は、テーマ付き映像データの静止画像データの再生と、テーマに対応した音声データの再生とが共に終了する。
【００４０】
テーマ付き映像データの静止画像データの再生時に行われる視覚効果は、そのテーマ付き映像データに付加されているテーマ情報に基づいて決定される。各視覚効果には、そのテーマ付き映像データと同一のテーマ情報を有する別のテーマ付き映像データの静止画像データが用いられる。以降、時刻ｔ１１にメモリカード５０から読み出されたテーマ付き映像データをメイン画像と称する。そして、メイン画像とは別のテーマ付き映像データであって、静止画像データがメイン画像の静止画像データの再生時に付される視覚効果に用いられるテーマ付き映像データをサブ画像と称する。
【００４１】
ＣＰＵ１６は、メイン画像一つに対して、サブ画像を複数選択することができる。各サブ画像の静止画像データには、メイン画像のテーマに応じた視覚効果が適用される。各視覚効果では、サブ画像の静止画像データの表示サイズ、表示サイズの変化、サブ画像の静止画像データの表示位置、その表示位置の変化速度、加速度、および移動経路、フェードイン／フェードアウトの速度などのパラメータを有する。
【００４２】
視覚効果のパラメータは、予め設定された初期値を有する。また、ＣＰＵ１６は、メイン画像のスローモーション動画像データについてフレーム間の特徴量変化を検出して、その特徴量変化に基づいてパラメータの値を調整することができる。ＣＰＵ１６は、スローモーション動画像データのフレーム画像のうち、静止画像データ用のフレーム画像が取得された時刻ｔ３に相当するフレームの前後の複数フレーム間における特徴量変化を算出する。
【００４３】
例えば、ＣＰＵ１６は、スローモーション動画像データに含まれるフレーム画像の中から所定の輝度レベルまたは所定の色相を有する画像領域を抽出して、その画像領域の移動量や揺れの周波数を特徴量変化として検出する。
【００４４】
例えば、ＣＰＵ１６は、スローモーション動画像データに含まれるフレーム画像の中からバースデーケーキの蝋燭やクリスマスツリーの電飾などのように高輝度な画像領域を抽出する。そして、ＣＰＵ１６は、その高輝度な画像領域の揺らぎや移動、具体的には蝋燭の炎の揺らぎの周波数や電飾の点滅周期などを特徴量の変化として検出する。
【００４５】
また、例えばＣＰＵ１６は、スローモーション動画像データに含まれるフレーム画像の中から所定画素数以上の緑色の画像領域、肌色の画像領域、青色の画像領域等を抽出して、それぞれ植物の画像領域、人の画像領域、海の画像領域等として抽出する。そして、ＣＰＵ１６は、その画像領域の揺らぎや移動、具体的には植物の葉の揺れの周波数、人の移動量、海の波紋の揺らぎの周波数などを特徴量の変化として検出する。
【００４６】
（第１の視覚効果）
図４（ａ）〜（ｅ）は、メイン画像の静止画像データの再生時に行われる視覚効果の一例を例示した図である。図４（ａ）〜（ｅ）に例示される第１の視覚効果は、メイン画像のテーマが例えばゆらめきであるときに実施される。なお、図４（ａ）〜（ｅ）では、ＣＰＵ１６がサブ画像を二つ選択している。
【００４７】
メイン画像の静止画像データの再生を開始する時刻ｔ１３に、ＣＰＵ１６は、第１の視覚効果の実行を開始する。第１の視覚効果では、図４（ａ）に示されるように、時刻ｔ１３において液晶モニタ１５の表示画面に所定の背景画像１００が表示されると共に、その表示画面の左下に第１のサブ画像の静止画像データに基づく画像１０１が重ねて再生表示される。画像１０１は、液晶モニタ１５の表示画面よりも小さい所定サイズで表示される。画像１０１は、時刻ｔ１３から時刻ｔ２１までの間、図４（ｂ）に示されるように、液晶モニタ１５の右上に向けて所定速度で位置を変化させながら表示される。
【００４８】
時刻ｔ２１には、画像１０１が表示画面から消されて、図４（ｃ）に示されるように、背景画像１００と共に第２のサブ画像の静止画像データに基づく画像１０２が表示画面の左上に重ねて再生表示される。画像１０２は、画像１０１と同様に液晶モニタ１５の表示画面よりも小さい所定サイズで表示される。画像１０２は、時刻ｔ２１から時刻ｔ２２までの間、図４（ｄ）に示されるように、液晶モニタ１５の右下に向けて所定速度で位置を変化させながら表示される。
【００４９】
時刻ｔ２２には、画像１０２が表示画面から消されて、図４（ｅ）に示されるように、メイン画像の静止画像データに基づく画像１０３が表示画面全体に再生表示される。画像１０３は、時刻ｔ２２から時刻ｔ１４までの間、液晶モニタ１５の表示画面に表示される。
【００５０】
第１の視覚効果では、例えば、サブ画像の静止画像データの表示順、表示サイズ、その表示サイズの変化、サブ画像の静止画像データの表示位置、その表示位置の変化速度、加速度、および移動経路などがパラメータとして設定される。
【００５１】
（第２の視覚効果）
図５（ａ）〜（ｃ）は、メイン画像の静止画像データの再生時に行われる視覚効果に関する別の一例を例示した図である。図５（ａ）〜（ｃ）に例示される第２の視覚効果は、メイン画像のテーマが例えばきらめきであるときに実施される。図５（ａ）〜（ｃ）では、ＣＰＵ１６がサブ画像を二つ選択している。
【００５２】
メイン画像の静止画像データの再生を開始する時刻ｔ１３に、ＣＰＵ１６は、第２の視覚効果の実行を開始する。第２の視覚効果では、図５（ａ）に示されるように、時刻ｔ１３において液晶モニタ１５の表示画面に所定の背景画像１００が表示されると共に、その表示画面の左下に第１のサブ画像の静止画像データに基づく画像１０１が重ねて再生表示される。画像１０１は、液晶モニタ１５の表示画面よりも小さい所定サイズで表示され、その表示時間は短い（例えば、１秒）。
【００５３】
画像１０１が消えてから所定時間後の時刻ｔ３１には、図５（ｂ）に示されるように、液晶モニタ１５の表示画面に背景画像１００と共に、その表示画面の右上に第２のサブ画像の静止画像データに基づく画像１０２が重ねて再生表示される。画像１０２は、液晶モニタ１５の表示画面よりも小さい所定サイズで表示され、その表示時間は短い（例えば、１秒）。
【００５４】
画像１０２が消えてから所定時間後の時刻ｔ３２には、図５（ｃ）に示されるように、メイン画像の静止画像データに基づく画像１０３が表示画面全体に再生表示される。画像１０３は、時刻ｔ３２から時刻ｔ１４までの間、液晶モニタ１５の表示画面に表示される。
【００５５】
第２の視覚効果では、例えば、サブ画像の静止画像データの表示順、表示サイズ、表示位置、表示時間などがパラメータとして設定される。
【００５６】
（第３の視覚効果）
図６（ａ）〜（ｅ）には、メイン画像の静止画像データの再生時に行われる視覚効果に関する第３の例が図示されている。図６（ａ）〜（ｅ）に例示される第３の視覚効果は、メイン画像のテーマが例えばやすらぎであるときに実施される。図６（ａ）〜（ｅ）では、ＣＰＵ１６がサブ画像を二つ選択している。
【００５７】
メイン画像の静止画像データの再生を開始する時刻ｔ１３に、ＣＰＵ１６は、第３の視覚効果の実行を開始する。第３の視覚効果では、図６（ａ）に示されるように、時刻ｔ１３において液晶モニタ１５の表示画面に所定の背景画像１００が表示されると共に、その表示画面の左下に第１のサブ画像の静止画像データに基づく画像１０１が重ねて再生表示される。画像１０１は、液晶モニタ１５の表示画面よりも小さい所定サイズで表示される。
【００５８】
時刻ｔ１３から時刻ｔ４１までの間、図６（ｂ）に示されるように画像１０１が徐々にフェードアウトして、第２のサブ画像の静止画像データに基づく画像１０２が徐々にフェードインする。時刻ｔ４１には、画像１０１が表示画面から消えて、図６（ｃ）に示されるように、背景画像１００と共に、第２のサブ画像の静止画像データに基づく画像１０２が表示画面の左上に重ねて再生表示される。画像１０２は、画像１０１と同様に液晶モニタ１５の表示画面よりも小さい所定サイズで表示される。
【００５９】
時刻ｔ４１から時刻ｔ４２までの間、図４（ｄ）に示されるように、画像１０２は、徐々にフェードアウトする。時刻ｔ４２には、画像１０２が表示画面から消えて、図６（ｅ）に示されるように、メイン画像の静止画像データに基づく画像１０３が表示画面全体に再生表示される。画像１０３は、時刻ｔ４２から時刻ｔ１４までの間、液晶モニタ１５の表示画面に表示される。
【００６０】
第３の視覚効果では、例えば、サブ画像の静止画像データの表示順、表示サイズ、表示位置、表示時間、フェードイン／フェードアウトさせる速度などがパラメータとして設定される。
【００６１】
（第４の視覚効果）
図７（ａ）〜（ｆ）は、メイン画像の静止画像データの再生時に行われる視覚効果に関する第４の例を例示した図である。図７（ａ）〜（ｆ）に例示される第４の視覚効果は、メイン画像のテーマが例えば愛らしさであるときに実施される。図７（ａ）〜（ｆ）では、ＣＰＵ１６がサブ画像を二つ選択している。
【００６２】
メイン画像の静止画像データの再生を開始する時刻ｔ１３に、ＣＰＵ１６は、図７（ａ）に示されるように、液晶モニタ１５の表示画面に所定の背景画像１００が表示されると共に、その表示画面の中央に第１のサブ画像の静止画像データに基づく画像１０１が重ねて再生表示される。時刻ｔ１３では、画像１０１は、液晶モニタ１５の表示画面よりも小さい所定サイズで表示される。時刻ｔ１３から時刻ｔ５１までの間に、図７（ｂ）に示されるように、画像１０１は徐々に拡大される。
【００６３】
時刻ｔ５１には、画像１０１が表示画面から消されて、図７（ｃ）に示されるように、背景画像１００と共に、第２のサブ画像の静止画像データに基づく画像１０２が表示画面の中央に重ねて再生表示される。
【００６４】
時刻ｔ５１では、画像１０２は、画像１０１と同様に液晶モニタ１５の表示画面よりも小さい所定サイズで表示される。時刻ｔ５１から時刻ｔ５２までの間、図７（ｄ）に示されるように、画像１０２は徐々に拡大される。
【００６５】
時刻ｔ５２には、画像１０２が表示画面から消されて、図７（ｅ）に示されるように、背景画像１００と共に、メイン画像の静止画像データに基づく画像１０３が表示画面の中央に重ねて再生表示される。
【００６６】
時刻ｔ５２では、画像１０３は、画像１０１および１０２と同様に液晶モニタ１５の表示画面よりも小さい所定サイズで表示される。時刻ｔ５２から時刻ｔ５３までの間、図７（ｆ）に示されるように、画像１０３は徐々に拡大される。時刻ｔ５３以降、画像１０３は、時刻ｔ１４まで液晶モニタ１５の表示画面に表示される。
【００６７】
第４の視覚効果では、例えば、サブ画像の静止画像データの表示順、表示サイズ、その表示サイズの変化速度、サブ画像の静止画像データの表示位置などがパラメータとして設定される。
【００６８】
図８は、スローモーション動画再生モードの処理に関するフローチャートである。図８に示す処理は、ＣＰＵ１６が不揮発性メモリ１７に記憶されている表示制御プログラム１７ａに従って実行する。
【００６９】
ステップＳ２００では、ＣＰＵ１６は、再生するテーマ付き映像データをメイン画像としてメモリカード５０から読み出す。
ステップＳ２０１では、ＣＰＵ１６は、ステップＳ２００で読み出したメイン画像に付加されているテーマ情報と記録日時とを取得する。
ステップＳ２０２では、ＣＰＵ１６は、ステップＳ２０１で取得したテーマ情報に対応した音声情報を、不揮発性メモリ１７から読み出す。
【００７０】
ステップＳ２０３では、ＣＰＵ１６は、ステップＳ２０１で取得したテーマ情報と記録日時とに基づいて、メモリカードからサブ画像を読み出す。
例えば、ステップＳ２０１で取得したテーマ情報と同一のテーマ情報（例えば、愛らしさ）を有し、記録日時の日付（例えば、被写体の誕生日）が同一のテーマ付き映像データを、サブ画像としてメモリカード５０の中から読み出す。
【００７１】
また例えば、ステップＳ２０１で取得したテーマ情報と同一のテーマ情報を有し、記録日時が所定時間以内（例えば、１週間以内）のテーマ付き映像データを、サブ画像としてメモリカード５０の中から読み出すことにしてもよい。またさらに、ステップＳ２０１で取得したテーマ情報と同一のテーマ情報を有し、記録日時がメイン画像の記録日時に最も近い方から所定の数の複数のテーマ付き映像データを、サブ画像としてメモリカード５０の中から読み出すことにしてもよい。
【００７２】
ステップＳ２０４では、ＣＰＵ１６は、視覚効果の調整を行うか否かを判定する。例えば、ＣＰＵ１６は、液晶モニタ１５に静止画再生時の視覚効果の調整を行うか否かをユーザに選択させる選択画面を表示させ、操作部材２０を用いて選択させる。ＣＰＵ１６は、入力された操作信号に基づいて、ステップＳ２０４の判定を行う。図８の処理は、ステップＳ２０４が肯定判定されたときステップＳ２０５に進み、ステップＳ２０４が否定判定されたときステップＳ２０７に進む。
【００７３】
ステップＳ２０５では、ＣＰＵ１６は、ステップＳ２００で読み出したメイン画像のスローモーション動画像データのうち、全押し操作が行われたフレーム前後の複数フレームのフレーム画像に基づいて、フレーム間の特徴量の変化を検出する。
ステップＳ２０６では、ＣＰＵ１６は、ステップＳ２０５で検出されたフレーム間の特徴量変化に基づいて、静止画像データの再生表示における視覚効果を調整する。
【００７４】
ステップＳ２０７では、ＣＰＵ１６は、ステップＳ２０２で読み出した音声データの再生を開始する。
ステップＳ２０８では、ＣＰＵ１６は、ステップＳ２００で読み出したテーマ付き映像データのスローモーション動画像データの再生表示を行う。
【００７５】
ステップＳ２０９では、ＣＰＵ１６は、ステップＳ２００で読み出したテーマ付き映像データの静止画像データの再生表示を行う。ＣＰＵ１６は、テーマ情報に基づいた視覚効果を付して、静止画像データの再生表示を行う。ＣＰＵ１６は、ステップＳ２０５およびステップＳ２０６で視覚効果の調整が行われた場合は、その調整された視覚効果を付して静止画像データの再生表示を行う。ステップＳ２０５およびステップＳ２０６による視覚効果の調整が行われなかった場合は、テーマ情報に基づいた視覚効果を初期設定のまま付して静止画像データの再生表示を行う。
【００７６】
ステップＳ２１０では、ＣＰＵ１６は、ステップＳ２００で読み出されたテーマ付き映像データをもう一度再生するか否かを判定する。例えば、液晶モニタ１５に画像データをもう一度再生するか否かをユーザに選択させる選択画面を表示し、操作部材２０を用いて選択させる。ＣＰＵ１６は、入力された操作信号に基づいて、ステップＳ２１０の判定を行う。図８の処理は、ステップＳ２１０が肯定判定されたときステップＳ２０４に戻り、ステップＳ２１０が否定判定されたとき図８の処理を終了する。
【００７７】
以上説明した実施形態によれば、次の作用効果が得られる。
デジタルカメラ１は、ＣＰＵ１６がバッファメモリ１８を作業領域として、不揮発性メモリ１７に記憶されている表示制御プログラム１７ａを実行して、デジタルカメラ１のスローモーション動画再生モードの処理を実行する。ＣＰＵ１６は、スローモーション動画像データと静止画像データとが関連付けられたテーマ付き映像データが記憶されたメモリカード５０からテーマ付き映像データを読み出す（図８のステップＳ２００）。また、ＣＰＵ１６は、テーマ付き映像データのスローモーション動画像データと静止画像データを液晶モニタ１５に再生表示させる（ステップＳ２０８およびステップＳ２０９）。ＣＰＵ１６は、テーマ付き映像データの静止画像データを液晶モニタ１５に再生表示させるとき、図８のステップＳ２０５で検出した特徴量変化に基づいてパラメータを調整した視覚効果を付すことができる。また、ＣＰＵ１６は、液晶モニタ１５に再生表示させるテーマ付き映像データに含まれるスローモーション動画像データについてフレーム間の特徴量変化を検出する（ステップＳ２０５）。
デジタルカメラ１は、ＣＰＵ１６が上記のような処理を行うことにより、スローモーション動画像データと静止画像データとが関連付けられたテーマ付き映像データを再生する際に、被写体の動きに応じた視覚効果を付した画像再生を行い、印象度の高い画像再生を行うことができる。
【００７８】
また、ＣＰＵ１６は、メイン画像の静止画像データを液晶モニタ１５に再生表示させるときに、メイン画像とテーマ情報が同一のサブ画像を用いた視覚効果を付す（ステップＳ２０３）。このように、メイン画像とサブ画像のテーマを同一にすることで、より印象度の高い画像再生を行うことができる。
【００７９】
以上で説明した実施の形態は、以下のように変形して実施できる。
（変形例１）
上記の実施の形態では、ＣＰＵ１６は、テーマ付き映像データを再生させるとき、スローモーション動画像データを再生出力させた後、静止画像データを再生出力させた。しかし、スローモーション動画像データと静止画像データの再生順（表示順）は逆でもよい。すなわち、ＣＰＵ１６は、テーマ付き映像データを再生させるとき、静止画像データを再生出力させた後、スローモーション動画像データを再生出力させることにしてもよい。
【００８０】
（変形例２）
上記の実施の形態で説明したゆらめき、きらめき、やすらぎ、愛らしさという四つのテーマ付き映像データのテーマは、あくまで一例である。テーマは、ゆらめき、きらめき、やすらぎ、愛らしさ以外のテーマを有してもよいし、これら四つの一部またはすべてのテーマを有さないことにしてもよい。また、各テーマと、第１〜第４の視覚効果の組み合わせも任意に組み合わせることができる。
【００８１】
（変形例３）
上記の実施の形態で説明した第１〜第４の視覚効果は、あくまで一例である。サブ画像の静止画像データに基づく画像を表示する位置は液晶モニタ１５の表示画面上のいずれの位置でもよく、その画像が移動する方向も液晶モニタ１５の表示画面に対していずれの方向でもよい。例えば第１の視覚効果において、時刻ｔ１３に画像１０１を表示する位置は、液晶モニタ１５の表示画面の左下でなくてもよいし、時刻ｔ１３から時刻ｔ２１の間に画像１０１が移動する方向は右上でなくてもよい。
【００８２】
（変形例４）
上記の実施の形態で説明した第１〜第４の視覚効果は、あくまで一例である。例えば、メイン画像またはサブ画像のスローモーション動画像データを視覚効果に用いることにしてもよい。
【００８３】
（変形例５）
上記の実施の形態で説明した第１〜第４の視覚効果は、メイン画像のスローモーション動画像データにおけるフレーム間の特徴量変化に基づいて、視覚効果のパラメータを調整した。しかし、視覚効果に用いるサブ画像の記録日時に基づいて、視覚効果のパラメータを調整することにしてもよい。例えば、メイン画像の記録日時と各サブ画像の記録日時の差に基づいて、パラメータを調整することにしてもよい。
【００８４】
（変形例６）
上記の実施の形態では、デジタルカメラを例に用いて説明したが、本発明に係る表示制御装置は、デジタルカメラだけに限定されない。例えば、デジタルフォトフレーム、プロジェクタなどの電子機器や、パーソナルコンピュータに表示制御プログラム１７ａと同様な表示制御プログラムを実行させて、テーマ表示画像モードのような画像再生を実行させてもよい。また、パーソナルコンピュータなどに適用する場合、上述した制御に関するプログラムは、ＣＤ−ＲＯＭなどの記録媒体やインターネットなどのデータ信号を通じて提供することができる。図９はその様子を示す図である。パーソナルコンピュータ４００は、ＣＤ−ＲＯＭ４０４を介してプログラムの提供を受ける。また、パーソナルコンピュータ４００は通信回線４０１との接続機能を有する。コンピュータ４０２は上記プログラムを提供するサーバーコンピュータであり、ハードディスク４０３などの記録媒体にプログラムを格納する。通信回線４０１は、インターネット、パソコン通信などの通信回線、あるいは専用通信回線などである。コンピュータ４０２はハードディスク４０３を使用してプログラムを読み出し、通信回線４０１を介してプログラムをパーソナルコンピュータ４００に送信する。すなわち、プログラムをデータ信号として搬送波に具現化（ｅｍｂｏｄｙ）して、通信回線４０１を介して送信する。このように、プログラムは、記録媒体や搬送波などの種々の形態のコンピュータ読み込み可能なコンピュータプログラム製品として供給できる。
【００８５】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００８６】
１  デジタルカメラ
１１  撮影レンズ
１２  撮像素子
１５  液晶モニタ
１６ａ  タイマ回路
１７  不揮発性メモリ
１７ａ  表示制御プログラム
１８  バッファメモリ
１９  記録再生部
２０  操作部材
２０ａ  シャッタボタン
２０ｂ  モード切替スイッチ
２０ｃ  テーマ設定スイッチ
２２  スピーカ
５０  メモリカード
４００  パーソナルコンピュータ
４０１  通信回線
４０２  コンピュータ
４０３  ハードディスク
【図１】
2014072540.tif 000003
【図２】
2014072540.tif 000004
【図３】
2014072540.tif 000005
【図４】
2014072540.tif 000006
【図５】
2014072540.tif 000007
【図６】
2014072540.tif 000008
【図７】
2014072540.tif 000009
【図８】
2014072540.tif 000010
【図９】
2014072540.tif 000011